【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
複数の第1の光伝送路、複数の第2の光伝送路、第3の光伝送路および第4の光伝送路との間で光信号を送受信することができ、前記複数の第1の光伝送路および前記複数の第2の光伝送路を介して他の光信号切替装置と光信号を送受信する光信号切替装置であって、
前記複数の第１の光伝送路からそれぞれ受信した光信号を出力する第１のインタフェースと、
入力された光信号を前記複数の第2の光伝送路へそれぞれ送信する第2のインタフェースと、
前記第3の光伝送路から光信号を受信し、前記受信した光信号を少なくとも2つの光信号に分けて出力する第3のインタフェースと、
少なくとも2つの光信号を入力され、前記入力された光信号のいずれかを前記第4の光伝送路へ送信する第4のインタフェースと、
前記第1のインタフェースから出力された光信号それぞれを前記第2のインタフェースまたは前記第4のインタフェースへ、ならびに前記第4のインタフェースから出力された光信号をそれぞれ前記複数の第2のインタフェースのいずれかへと導く経路を設定することができる光スイッチと、
前記光スイッチ内の光信号の経路設定を行う制御回路とを備え、
前記制御回路は、
他の光信号切替装置へ向けて送信される光信号を前記第3の光伝送路から受信した場合、前記第3のインタフェースの出力する少なくとも2つの光信号がそれぞれ異なる前記第2の光伝送路を介して当該他の光信号切替装置に送信されるよう前記光スイッチの経路設定を行ない、
他の光信号切替装置が前記第3のインタフェースにより少なくとも2つの光信号に分けて自装置に向けて出力した光信号を前記複数の第1の光伝送路から受信した場合、前記少なくとも2つの光信号が前記第4のインタフェースに入力されるよう前記光スイッチの経路設定を行うことを特徴とする光信号切替装置。
【請求項２】
請求項１に記載の光信号切替装置において、
前記第３のインタフェースは、入力された光信号を少なくとも2つの光信号に分けて出力する光分配器を有し、
前記第4のインタフェースは、入力された少なくとも2つの光信号のうちいずれかを選択して出力する光切替器を有することを特徴とする光信号切替装置。
【請求項３】
請求項２に記載の光信号切替装置において、
前記第1のインタフェースは、
前記複数の第１の光伝送路から波長多重された光信号を受信する複数の光受信器と、
前記波長多重された光信号を周波数毎にそれぞれ分波する複数の光分波器と、
前記光分波器から出力された光信号の周波数変換やレベル調整をそれぞれ行う複数の第1の光信号調整器とを有し、
前記第2のインタフェースは、
前記光スイッチから出力された光信号の周波数変換やレベル調整をそれぞれ行う複数の第２の光信号調整器と、
前記複数の第2の光信号調整器の出力を波長多重した光信号に多重化する複数の光合波器と、
前記光合波器からの波緒多重された光信号を第１の光伝送路にそれぞれ出力する複数の光送信器とを有することを特徴とする光信号切替装置。
【請求項４】
請求項１に記載の光信号切替装置において、
前記光スイッチを少なくとも2つの光スイッチで構成し、前記第3のインタフェースから出力される光信号、および前記第4のインタフェースへ入力される少なくとも2つの光信号の経路をそれぞれ異なる光スイッチにより設定することを特徴とする光信号切替装置。
【請求項５】
複数の第1の光伝送路および複数の第2の光伝送路からそれぞれ受信した光信号の経路を切替え、複数の第3の光伝送路もしくは複数の第4の光伝送路のいずれかに出力する光信号切替装置の使用方法において、
前記複数の第1の光伝送路からそれぞれ受信した複数の光信号のうち少なくとも2つの光信号の経路を、前記複数の第4の光伝送路のいずれか1つへ向けて切替え、
前記複数の第4の光伝送路のいずれか1つへ向けて経路を切替えられた少なくとも2つの光信号から1つの光信号を選択し、
前記選択した1つの光信号を前記複数の第4の光伝送路のいずれか1つに出力し、
前記複数の第2の光伝送路のいずれかから受信した光信号少なくとも2つの光信号に分岐し、
前記分岐された少なくとも2つの光信号それぞれの経路を、前記複数の第3の光伝送路のいずれか1つであってそれぞれ異なる光伝送路へ向けて切替え、
前記複数の第3の光伝送路のいずれか1つであってそれぞれ異なる光伝送路へ向けて経路を切替えられた少なくとも2つの光信号をそれぞれ異なる前記第3の光伝送路に出力することを特徴とする光信号切替装置の使用方法。
【請求項６】
光スイッチを備えた複数の光信号切替え装置を複数の光伝送路で接続し、前記光信号切替装置間で光信号の送受信を行う光通信網であって、
前記光信号切替え装置のそれぞれが自装置の光信号を前記光通信網に挿入する場合、前記光信号を複数の光信号にして、該複数の光信号のそれぞれを前記光スイッチに設定した複数の経路を介して、異なる複数の光伝送路から、それぞれが異なる他の複数の光信号切替え装置に出力し、
前記光信号切替え装置のそれぞれが他の信号切替え装置から別の信号切替え装置へ光信号を中継する場合、受信した光信号を前記光スイッチに設定した経路を介して前記別の光信号切替え装置に出力し、
前記光信号切替え装置のそれぞれが自装置宛の光信号を前記光通信網から分岐する場合、前記光スイッチに複数の経路を設定し、前記複数の異なる光信号切替え装置から異なる複数の光伝送路を介して複数の光信号を受信すると、該複数の光信号のいずれか１つを選択する構成であることを特徴とする光通信網。
【請求項７】
光スイッチを備えた複数の光信号切替え装置を複数の光伝送路で接続し、前記光信号切替装置間で光信号の送受信を行う光通信網であって、
第1の光信号切替え装置が自装置の光信号を第2の光信号切替え装置宛に前記光通信網へ挿入する場合、前記光信号を複数の光信号にして、該複数の光信号のそれぞれを前記光スイッチに設定した複数の経路を介して、異なる複数の光伝送路から、それぞれが異なる複数の光信号切替え装置に出力し、
前記それぞれが異なる複数の光信号切替え装置は、前記第1の光信号切替え装置もしくは他の第3の光信号切替え装置から受信した光信号を前記光スイッチに設定した経路を介して前記第２の光信号切替え装置もしくは別の光信号切替え装置に出力し、
前記第2の光信号切替え装置が自装置宛の光信号を前記光通信網から分岐する場合、前記光スイッチに複数の経路を設定し、前記それぞれが異なる複数の光信号切替え装置から異なる複数の光伝送路を介して複数の光信号を受信すると、該複数の光信号のいずれか１つを選択することを特徴とする光通信網。
【請求項８】
複数の光信号切替え装置を複数の光伝送路で接続し、前記光信号切替装置間で光信号の送受信を行う光通信網であって、
それぞれの光信号切替え装置は、
他の光信号切替装置と複数の第１の光伝送路で光信号を送受信する第１のインタフェースと、
自装置に接続される通信装置と光信号を複数の第２の光伝送路で送受信する第２のインタフェースと、
前記複数の第１のインタフェース間、もしくは、複数の第1のインタフェースと複数の第2のインタフェース間の光信号の経路を提供する光スイッチと、
前記光スイッチ内の光信号の経路設定を行う制御回路とを備え、
前記第２の光伝送路から受信した光信号を前記光通信網に挿入する場合、前記受信した光信号を複数の光信号にして、前記光スイッチに設定した複数の経路を介して前記複数の光信号のそれぞれを前記複数の第１の異なる光伝送路に出力し、
前記複数の第１の異なる光伝送路を介して前記光通信網から前記第２の光伝送路へ分岐する複数の光信号を受信した場合、前記光スイッチに複数の経路を設定して前記複数の光信号を、該複数の光信号のいずれか１つを選択して該第２の光伝送路に出力し、
前記光通信網内で光信号を中継する場合、前記光スイッチに設定した経路を介して複数の第１の伝送路のいずれかから受信した光信号を該光信号の出力先の第１の光伝送路に出力することを特徴とする光通信網。
【請求項９】
光スイッチを備えた複数の光信号切替え装置を複数の光伝送路で接続し、前記光信号切替装置間で光信号の送受信を行う光通信網の使用方法であって、
自装置の光信号を前記通信網に挿入する光信号切替え装置には、前記光信号を複数の光信号にして、該複数の光信号のそれぞれを異なる複数の光伝送路からそれぞれが異なる複数の他の光信号切替え装置に出力するように前記光スイッチに複数の経路を設定し、
前記光通信網内で受信した光信号を別の光信号切替え装置に中継する複数の光信号切替え装置には、それぞれが光伝送路のいずれかから受信した光信号を該光信号の宛先に対応した前記別の光信号切替え装置に出力するように前記光スイッチの経路を設定し、
自装置宛の光信号を前記光通信網から分岐する光信号切替え装置には、前記複数の異なる光信号切替え装置から異なる複数の光伝送路を介して複数の自装置宛の光信号を受信すると、該複数の光信号のいずれか１つを選択して出力するように前記光スイッチに複数の経路を設定することを特徴とする光通信網の使用方法。
【請求項１０】
光スイッチを備えた複数の光信号切替え装置を複数の光伝送路で接続し、前記光信号切替え装置間で光信号の送受信を行う光通信網の使用方法であって、
第1の光信号切替え装置には、自装置の第2の光信号切替え装置宛の光信号を複数の光信号にして、該複数の光信号のそれぞれを異なる複数の光伝送路からそれぞれが異なる複数の第3の光信号切替え装置に出力して前記複数の光信号を前記光通信網に挿入するように前記光スイッチに複数の経路を設定し、
前記複数の第3の光信号切替え装置のそれぞれには、前記第1の光信号切替え装置もしくは他の第3の光信号切替え装置から受信した光信号を前記第２の光信号切替え装置もしくは別の第3の光信号切替え装置に中継するように前記光スイッチに経路を設定し、
前記第2の光信号切替え装置には、前記複数の異なる第3の光信号切替え装置から異なる複数の光伝送路を介して複数の自装置宛の光信号を受信すると、該複数の光信号のいずれか１つを選択して前記光通信網から光信号を分岐するように前記光スイッチに複数の経路を設定することを特徴とする光通信網の使用方法。